(57)【要約】【課題】部材の集合から成る部品を製造する場合に、部材を製造する企業群から任意の企業を組合せて部品の一貫生産を可能にし、かつその製造履歴を容易にトレースできるようにすることである。【解決手段】部材を製造する企業群Ａ1…Ａn社は、個々にその製品の統一名称、材質、製造工程、検査方法等をセンタ１０のサーバのデータベース２１に登録する。センタ１０は、発注企業３０から部品の発注があった場合に、その設計図面や仕様書等から部品を形成する部材に分解して統一名称で部材テーブルを作成し、その部材テーブルでデータベース２１を検索し、該当する部材を製造している企業を探し出して部材テーブルに登録し、製造履歴データファイル２２に出力する。【選択図】図１
2010244118.tif 000002
【特許請求の範囲】
【請求項１】
部材の集合体から形成される部品を発注する企業と、部材を製造する企業群との間に介在して前記部品の発注を受けるセンタから成り、
前記センタは、前記企業群の個々の企業が製造する部材の少なくとも統一名称、材質、製造工程、検査方法を登録したデータベースと、発注部品の少なくとも設計図面及び仕様書から作成された各部材の少なくとも統一名称、材質及び仕様書を列挙したテーブル記憶手段を有し、このテーブル記憶手段から各部材を順に一個ずつ取り出し、前記データベースを検索して同一部材をサーチする手段と、前記データベースに同一部材が存在したときに少なくともその企業名と部材の製造工程及び検査方法を抽出して前記テーブル記憶手段の対応する部材欄に付属させる手段と、前記テーブル記憶手段の全ての部材について前記検索が完了したときに前記テーブル記憶手段の全てのデータを製造履歴データファイルとして出力する手段を設け、前記発注企業、センタ及び企業群は互にデータ通信可能とした複数企業による一貫生産履歴トレースシステム。
【請求項２】
前記テーブル記憶手段の全ての部材について検索が完了した後、このテーブルに挙げられた部材を製造すべき企業に対して確認を行なう手段を設けた請求項１に記載の複数企業による一貫生産履歴トレースシステム。
【請求項３】
前記部材を製造する企業群は任意に参加可能である請求項１または２に記載の複数企業による一貫生産履歴トレースシステム。
【請求項４】
前記製造履歴データファイルは少なくとも発注企業とセンタがアクセス可能になっている請求項１〜３のいずれかに記載の複数企業による一貫生産履歴トレースシステム。
【発明の詳細な説明】
【技術分野】
【０００１】
この発明は、多数の企業を統合して一つの製品を一貫生産できるようにし、かつ各々の企業が担当して製作した各部材の製造履歴を容易にトレースできるようにしたシステムに関する。
【背景技術】
【０００２】
航空機のような極めて多数の部品を要する大形製造物は、航空機メーカからピラミッド状に分岐した多数の企業の協力体によって完成される。一方またそれぞれの部品には、極めて高度の信頼性が要求される。
【０００３】
そのため従来は、各部品を製造した企業がそれぞれ独自に書類やコンピュータの記憶装置にその部品の製造過程や品質検査方法等の所謂製造履歴を保存していたが、緊急を要する場合に、直ちに全ての製造履歴を提供するのはほとんど不可能であり、しかも一貫性、連続性を有するデータとして提供することも不可能であった。
【０００４】
また、特に中小企業は、部品の中のさらに小さい一部分あるいはエレメントを製造するだけであり、親企業からの指示に従って部品の一部分を受動的に製造するだけであって、自らが部品の提案を行なうなど、積極的に製造に参画することはなかった。
【０００５】
さらに、航空機のような高度の技術を要求されるレベルを有し、かつその技術分野に参入を望みながら、ある種のコネクションを持たないため、部品製造に参加できない企業も多かった。
【発明の概要】
【発明が解決しようとする課題】
【０００６】
そこで、この発明の課題は、どのような企業でも自由に参加でき、製品に応じて任意に企業を組合せて一貫生産することが可能で、その完全な製造履歴を迅速かつ容易にトレースできるようにすることである。
【課題を解決するための手段】
【０００７】
上記の課題を解決するために、この発明は、部材の集合体から形成される部品を発注する企業と、部材を製造する企業群との間に介在して前記部品の発注を受けるセンタから成り、前記センタは、前記企業群の個々の企業が製造する部材の少なくとも統一名称、材質、製造工程、検査方法を登録したデータベースと、発注部品の少なくとも設計図面及び仕様書から作成された各部材の少なくとも統一名称、材質及び仕様書を列挙したテーブル記憶手段を有し、このテーブル記憶手段から各部材を順に一個ずつ取り出し、前記データベースを検索して同一部材をサーチする手段と、前記データベースに同一部材が存在したときに少なくともその企業名と部材の製造工程及び検査方法を抽出して前記テーブル記憶手段の対応する部材欄に付属させる手段と、前記テーブル記憶手段の全ての部材について前記検索が完了したときに前記テーブル記憶手段の全てのデータを製造履歴データファイルとして出力する手段を設け、前記発注企業、センタ及び企業群は互にデータ通信可能としたのである。
【０００８】
前記テーブル記憶手段の全ての部材について検索が完了した後、このテーブルに挙げられた部材を製造すべき企業に対して確認を行なう手段を設けることができる。また、前記部材を製造する企業群は任意に参加可能である。さらに、前記製造履歴データファイルは少なくとも発注企業とセンタがアクセス可能になっている。
【発明の効果】
【０００９】
この発明によれば、発注された部品の設計図面や仕様書等から部品の構成部分である部材テーブルを作成し、このテーブルに基づいて様々な部材を製造する企業群のデータベースを検索し、発注部品を一貫生産できるように複数企業の組合せを抽出し、かつそれらの部材の製造工程や検査方法なども前記部材テーブルに付属させて製造履歴データファイルとして出力したので、発注部品に応じて一貫生産体制を作り上げることができ、かつ発注部品の製造履歴を前記ファイルにアクセスするだけで容易かつ確実に取り出すことができる。
【図面の簡単な説明】
【００１０】
【図１】この発明の複数企業による一貫生産履歴トレースシステムの概要を示すダイアグラムである。
【図２】発注された部品である油圧ポンプを示す縦断面図である。
【図３】この発明のシステムにおいて、コンピュータ処理を示すフローチャートである。
【図４】部材テーブルのデータ様式を示す図表である。
【図５】データベースの登録データ様式を示す図表である。
【発明を実施するための形態】
【００１１】
以下、この発明の実施形態を添付図面に基づいて説明する。図１に示すように、一貫生産履歴トレースシステムは、任意の、主として中小企業群から形成される参加企業Ａ1…Ａn社と、部品を発注する発注企業３０との間に介在して、発注された部品を分析し、前記参加企業Ａ1…Ａn社を適宜連携させ一貫生産できるように統合管理する連携統合センタ１０の３者を結ぶネットワークから成る。
【００１２】
参加企業Ａ1…Ａn社は、任意に参加可能であり、メーカに限らずソフトウェアに関する企業であってもよい。それぞれ参加企業Ａn社は、製造する製品をセンタ１０に登録する。図５に示すように、登録事項は、製品名、材質、製造工程、検査方法、品質管理方法などである。このうち、製品名は、統一名称で登録する。例えば航空機業界では航空機メーカが統一名称の規格を作製しており、その辞書に従って製品名を使用するようになっている。勿論、他の統一名称、例えばＪＩＳ規格に則った名称を用いてもよい。登録方法は、参加企業Ａn社が有するパーソナルコンピュータや携帯電話等の通信手段を用いてもよく、或いは書類をセンタ１０に送付してもよい。
【００１３】
センタ１０はサーバ２０を有し、参加企業Ａn社からのデータをデータベース２１に保存する。また、センタ１０は、発注企業３０からの製品（部品）の発注を受けたり、新製品（部品）の提案を行なったりする。その際、センタ１０が保有するコンピュータプログラムによって、製品の分析、参加企業群Ａ1…Ａnへの割振りなどを行なう。
【００１４】
上記プログラムは、センタ１０で操作されるパーソナルコンピュータなどにロードされている。
【００１５】
いま、例えば航空機部品として図２に示すような油圧ポンプ４０がセンタ１０に発注されたものとする。この油圧ポンプ４０は、ハウジング４１内に、複数のピストン４２を所定の間隔で保持するシリンダブロック４３がドライブシャフト４４によって回転駆動されるように収納され、それぞれのピストン４２の先端には、ピストンシュー４５が全方向に揺動自在に取り付けられ、このシュー４５はヨーク（斜板）４６に摺動可能に接続されている。そして、ドライブシャフト４４によって回転駆動されたシリンダブロック４３の回動と共に、複数のピストンシュー４５はヨーク（斜板）４６に密着しながら摺動するため、各ピストン４２はその軸方向に移動し、シリンダブロック４３の各シリンダの容積を変動させ、シリンダ内の油を排出または吸引するポンピング作用を行なう。
【００１６】
上記のような油圧ポンプ４０の図面や仕様書を見ながら図３に示すように、ステップＳ1で油圧ポンプ４０を構成している部材に分解し、パーソナルコンピュータに入力して図４に示すような部材テーブルを作成しメモリに記憶させる。このとき、設計図面や仕様書には、部品の各部が機能的に表現されていることが多い（例えばハウジングやカバー等）ので、入力時に前述した統一名称に変更する必要が生じる。これは操作者の入力による以外は困難であろうと思われる。その他は、例えばオプティカルリーダで入力可能である。また、発注企業３０から設計図面や仕様書等のデータがディスクやメモリスティック等の記憶装置形式やインターネットを介して送信されてくれば、それをそのまま入力して部材テーブルを作成し、足らない部分を人手入力で補完することができる。なお、部材テーブルにおける部材の最小単位は、例えばＪＩＳの機械要素と同じレベルにしておくのがよい。さらに部材の図面も入力できればなおよい。
【００１７】
上記の部材テーブルが完成すると、ステップＳ2でこの部材テーブルから順次一部材ずつ取り出し、データベース２１を検索する。検索キーは、部材の統一名称及び材質とするのがよい。そして全てのデータベースを検索するのが好ましい。この検索によって同一部材同一材質のものが見つかれば（ステップＳ3）、ステップＳ4で図４の下段に示すように、対応する企業名及びその企業のデータベース２１に登録されている製品工程、検査方法、品質管理方法などの全てのデータを取り出して部材テーブルの対応欄に付属させ記憶させる。なお、同一部材を製造可能な企業は複数あってもよい。その場合も同様にそれぞれの企業について製造工程などのデータを取り出し、対応する部材に付属させる。
【００１８】
当初のステップＳ1で作成したテーブルの全ての部材について検索が終了すると（ステップＳ5）、必要に応じてテーブルに挙げられた各企業にメールでテーブルの内容を通知し、製造の可否について各企業からの許諾を得ることができる。勿論この操作は、各企業のメールアドレスさえ登録しておけばプログラムで自動的に行なうことができる。そして製造不可の回答があれば部材テーブルから削除するかフラッグを立てておけばよい。
【００１９】
こうして完成した最終部材テーブルを、ステップＳ7でハードディスク等の記憶装置から成る製造履歴データファイル２２に書き込む。勿論プリントアウトしておくこともできる。なお、データファイル２２に書き込む際のヘッダーは、言うまでもなく発注部品名や発注番号、設計図面、仕様書などである。
【００２０】
前記ステップＳ3でデータベース２１を検索したとき、部材が見つからない場合には、部材の統一名称と材質のいずれかまたは両方を多少変更した類似品で再検索することができる。それで見つけることができれば、部材テーブルに登録しておき、ステップＳ6で確認すればよい。再検索によっても見つけることができなければ、参加企業以外に外注することも考えなければならないが、いずれにしてもこれは極めて例外的なことであり、この発明では、あくまで参加企業内で部材を調達できることを前提としている。
【００２１】
前述の処理ステップＳ1〜Ｓ8は、部品の発注があったことを前提に説明したが、連携統合センタ１０が新製品として部品を開発し、それを企業３０に提案することができる。この場合も、企業３０から発注があった場合と同様に、予め設計図面や仕様書に基づいて、ステップＳ1〜Ｓ8の処理を行なっておくことができる。
【００２２】
上述のようにして作成されたデータファイル２２に基づいて指定された企業が指定された部材を製造することにより、発注された部品の一貫生産が可能になるがそれぞれの部材をアセンブルして一つの部品に仕上げるためには、別途アセンブルラインと集配ヤードを有する企業を設立してもよい。連携統合センタ１０の本来の目的は、多数の任意参加企業群から、特定の企業を選択して特定の部品を一貫生産により完成させ、その品質を保持するための製造履歴を迅速かつ確実に得られるようにすることである。
【００２３】
このように、データファイル２２に基づいて、指定された企業がそれぞれ指定された部材を製造することにより、そのデータファイル２２に登録された材質、仕様書、製造工程、検査方法、品質管理方法等が即ち製造履歴となる。従ってこのデータファイル２２にアクセスすることによって、ある部品の製造履歴を一貫してトレースできることになる。
【符号の説明】
【００２４】
１０        連携統合センタ
２０        サーバ
２１        参加企業データベース
２２        製造履歴データファイル
３０        発注企業
４０        油圧ポンプ
４１        ハウジング
４２        ピストン
４３        シリンダブロック
４４        ドライブシャフト
４５        ピストンシュー
４６        ヨーク
Ａ1〜Ａn    参加企業
Ｓ1〜Ｓ8    処理ステップ
【図１】
2010244118.tif 000003
【図２】
2010244118.tif 000004
【図３】
2010244118.tif 000005
【図４】
2010244118.tif 000006
【図５】
2010244118.tif 000007